(57)【要約】【課題】メッシュシートの網目に、ターポリンを貼着するための接着剤が、乾燥してこびりついた状態で残存することのない表示シートおよびその製造方法を提供する。【解決手段】メッシュシート２にターポリン３で形成した文字や図形を貼着して構成する表示シート１であって、前記文字や図形に型取ったターポリン３は、その裏面に接着剤４が塗布され、乾燥後に、所定の寸法に形成したメッシュシート２に、その裏面側が載せられ、熱圧着による熱によって溶融した前記接着剤４で、前記メッシュシート２に貼着されている。【選択図】　　　図１
2004133227.tif 000002
【特許請求の範囲】
【請求項１】
メッシュシート（２）にターポリン（３）で形成した文字や図形を貼着して構成する表示シートであって、
前記文字や図形に型取ったターポリンは，その裏面に接着剤（４）が塗布され，乾燥後に，所定の寸法に形成したメッシュシートに，その裏面側が載せられ，熱圧着による熱によって溶融した前記接着剤で，前記メッシュシートに貼着されたものであることを特徴とする表示シート。
【請求項２】
メッシュシート（２）にターポリン（３）で形成した文字や図形を貼着して構成する表示シートを製造する方法であって、
前記文字や図形に型取ったターポリンの裏面に接着剤（４）を塗布して乾燥させる塗布乾燥工程と、
所定の寸法に形成したメッシュシートに，前記ターポリンを，その裏面を向けて載せた後，熱圧着し，その熱によって溶融した前記接着剤で，前記メッシュシートにターポリンを貼着する貼着工程と、からなる表示シートの製造方法。
【発明の詳細な説明】
【０００１】
【発明の属する技術分野】本発明は、メッシュシートにターポリン（防水布）で形成した文字や図形を貼着して構成した表示シートおよびその製造方法に関するものである。
【０００２】
【従来の技術】図４を参照して説明する。伐採作業や工事作業等を行う際の看板や、歩道橋や建物の垂れ幕に、注意を呼びかけるための表示シートとして、メッシュシート１１にターポリン１２で形成した文字や図形を接着剤を介して貼り付けて構成したものがある。
【０００３】
この表示シート１０は、メッシュシート１１を基板としているので通気性に優れ、風によって裏返しになったり、吹き飛んだり、あるいは倒れたりすることがなく、また、そのメッシュシート１１に防水性に優れるターポリン１２を貼り付けているので、雨水等によって傷むこともないといった長所を有する。
【０００４】
【発明が解決しようとする課題】しかし、この従来の表示シート１０は、メッシュシート１１にターポリンを接着剤を介して貼り付けて構成しているので、余剰接着剤１３がメッシュシート１１の網目に入り込んだ状態で乾燥する。そのため、ターポリン１２で形成した文字や図形の周囲に乾燥した余剰接着剤１３がこびりついた状態で残り、きわめて見栄えが悪い（図４（ａ）に表示シート１０の表面を、（ｂ）に裏面を示す）。
【０００５】
この問題を解決するために接着剤の量を少なくすることが考えられるが、そうすると接着力にムラが生じ、ターポリン１２をその全体にわたって強固に貼り付けることが困難となってしまう。
【０００６】
本発明はこうした問題に鑑み創案されたもので、メッシュシートの網目に、ターポリンを貼着するための接着剤が、乾燥してこびりついた状態で残存することのない表示シートおよびその製造方法を提供することを課題とする。
【０００７】
【課題を解決するための手段】第一の発明は、メッシュシート２にターポリン３で形成した文字や図形を貼着して構成する表示シート１であって、前記文字や図形に型取ったターポリン３は、その裏面に接着剤４が塗布され、乾燥後に、所定の寸法に形成したメッシュシート２に、その裏面側が載せられ、熱圧着による熱によって溶融した前記接着剤４で、前記メッシュシート２に貼着されたものであることを特徴とするものである。
【０００８】
第二の発明の名称は、メッシュシート２にターポリン３で形成した文字や図形を貼着して構成する表示シート１を製造する方法であって、前記文字や図形に型取ったターポリン３の裏面に接着剤４を塗布して乾燥させる塗布乾燥工程と、所定の寸法に形成したメッシュシート２に、前記ターポリン３を、その裏面を向けて載せた後、熱圧着し、その熱によって溶融した前記接着剤４で、前記メッシュシート２にターポリン３を貼着する貼着工程と、からなるものである。
【０００９】
【発明の実施の形態】本発明に係る表示シート１の実施形態を、図１および図２に示す。これは、白色のメッシュシート２に、赤、青、黄などのターポリン３で形成した文字および図形を貼着して構成した表示シートであり、道路上に横断するように設けた支持棒６に紐片７によって取付け、伐採作業に伴い発生する危険を周囲に促すためのものである。
【００１０】
メッシュシート２は無数の網目を有し、かつ、その周囲には、当該メッシュシート２の基板としての剛性を高めるために、ビニール製の縁取り材５を取付けている。このメッシュシート２は予め所定の寸法に裁断される。
【００１１】
また、文字および図形に型取ったターポリン３は、その裏面に接着剤４が塗布され、その接着剤４が乾燥した後に、メッシュシート２に、その裏面側が載せられる。そして、熱圧着による熱によって溶融した接着剤４で、メッシュシート２に貼着されたものである。
【００１２】
この表示シート１は、図４に示す、本発明に係る製造方法で製造することができる。当該製造方法は、塗布乾燥工程と貼着工程を備える。塗布乾燥工程では、文字や図形に型取ったターポリン３の裏面に接着剤４を塗布して乾燥させる。接着剤４の塗布は、スプレーあるいは刷毛塗りで行うことができる。また、接着剤４の乾燥は、自然乾燥や送風乾燥で行うことができる。
【００１３】
続く貼着工程では、所定の寸法に形成したメッシュシート２に、ターポリン３を、その接着剤４を塗布した裏面を向けて載せた後、熱圧着し、その熱によって溶融した接着剤４で、メッシュシート２にターポリン３を貼着する。熱圧着は、熱圧着装置８によって表示シート１の全体に均一の熱と力を加えて行う。
【００１４】
これにより、ターポリン３に加わる熱によって、乾燥している接着剤４が適度に溶融し、その接着剤４の接着力に、当該ターポリン３に作用する力が加わり、ターポリン３がメッシュシート２に強固に接着する。ここで、ターポリン３は、押圧力を加えてメッシュシート２に貼着するので、接着剤４のみによって貼着する場合と比較して、接着剤４の量を少なくすることができる。また、同様の理由で、乾燥している接着剤４を完全な溶融状態まで融かすことなく、強固に接着することができる。
【００１５】
従って、溶融した接着剤４がメッシュシート２の網目に入り込み、そのままこびりついた状態で残存することがない（図２に、表面（ａ）と裏面（ｂ）の両方において、接着剤４がこびりついた状態のままで残存しない本発明に係る表示シート１を示す）。その結果、見栄えに優れる表示シート１を提供することができる。
【００１６】
なお、この表示シート１は、メッシュシート２で基板を形成しているので通気性に優れ、風によって裏返しになったり、吹き飛んだりすることがない。また、そのメッシュシート２に防水性に優れるターポリン３を貼り付けているので雨水等で傷み難く、耐久性に優れるといった効果も併せて発揮する。
【００１７】
本発明に係る表示シートは、本実施形態に示すような伐採作業における標識のみでなく、道路工事や建築土木工事の看板や、歩道橋や建物の垂れ幕に使用する表示シートを含むものである。
【００１８】
【発明の効果】請求項１に記載の表示シート１は、文字や図形に型取ったターポリン３は、その裏面に接着剤４が塗布され、乾燥後に、所定の寸法に形成したメッシュシート２に、その裏面側が載せられ、熱圧着による熱によって溶融した接着剤４で、メッシュシート２に貼着されるので、接着剤４がメッシュシート２の網目にこびりついた状態で残存することがない。従って、文字や図形を表すターポリン３の周囲に乾燥した接着剤４が存在せず、見栄えに優れる表示シート１とすることができる。
【００１９】
請求項２に記載の表示シートの製造方法は、文字や図形に型取ったターポリン３の裏面に接着剤４を塗布して乾燥させる塗布乾燥工程と、所定の寸法に形成したメッシュシート２に、ターポリン３を、その裏面を向けて載せた後、熱圧着し、その熱によって溶融した接着剤４で、メッシュシート２にターポリン３を貼着する貼着工程とからなるので、文字や図形を表すターポリン３の周囲に乾燥した接着剤４が存在しない。従って、見栄えに優れる表示シート１を製造することができる。
【図面の簡単な説明】
【図１】本発明に係る表示シートの実施形態を示す正面図である。
【図２】図１における部分拡大正面図であり、（ａ）はその表面、（ｂ）はその裏面を示す。
【図３】本発明に係る表示シートの製造方法の実施形態を示す工程図である。
【図４】従来例に係る表示シートの部分拡大正面図であり、（ａ）はその表面、（ｂ）はその裏面を示す。
【符号の説明】
１　　　表示シート
２　　　メッシュシート
３　　　ターポリン
４　　　接着剤
５　　　縁取り材
６　　　支持棒
７　　　紐片
８　　　熱圧着装置
１０　　表示シート
１１　　メッシュシート
１２　　ターポリン
１３　　余剰接着剤
【図１】
2004133227.tif 000003
【図２】
2004133227.tif 000004
【図３】
2004133227.tif 000005
【図４】
2004133227.tif 000006